(57)【要約】  【課題】  鳥が仕掛けに慣れ難く、長期的に確実に鳥を追い払って鳥害を防止する安価な装置を提供すること。  【解決手段】  送電鉄塔Ｔに上下方向に設けたガイドレール１に沿って移動できる昇降機２上に打撃装置１４及び発光体１８を設けて鳥害防止装置を構成する。打撃装置１４は、昇降機２の駆動軸１３から伝動機構１５を介して連動するカム１６ａに打撃ピン１６ｂを係合させて、ガイドレール１を打撃する。発光体１８は点滅を繰り返す。昇降機２の駆動及び発光体１８の発光動作に必要な駆動電力は昇降機２に搭載したソーラーパネル１９による。これらの動作は車載ボックス１７内のコントローラ２０が制御する。昇降機２が移動しながら、打撃装置１４が打撃すると共に発光体１８が点滅するので、音、振動及び光により鳥を効果的に威嚇できる。【選択図】  図３
2005333846.tif 000002
【特許請求の範囲】
【請求項１】
送電鉄塔を上下方向へ移動可能な移動手段と、
この移動手段により、移動しながら鳥類を忌避させる威嚇手段と、
前記移動手段及び威嚇手段を駆動するための電源とを具備することを特徴とする鳥害防止装置。
【請求項２】
前記移動手段が送電鉄塔に上下方向に設けられたガイドレールと、
このガイドレールに沿って移動可能な昇降機であることを特徴とする請求項１に記載の鳥害防止装置。
【請求項３】
前記ガイドレールは、作業者の安全ベルトが留められる落下防止用エスコートレールを兼用することを特徴とする請求項２に記載の鳥害防止装置。
【請求項４】
前記移動手段が鉄塔の上下位置に設けられたプーリと、これらプーリに掛け回され、前記威嚇手段が途上に係止されてこれを引き回すロープとを具備することを特徴とする請求項１記載の鳥害防止装置。
【請求項５】
前記威嚇手段が点滅を繰り返す発光体であることを特徴とする請求項１に記載の鳥害防止装置。
【請求項６】
前記威嚇手段が打撃により衝撃音と鉄塔に振動を発生する打撃装置であることを特徴とする請求項１に記載の鳥害防止装置。
【請求項７】
前記打撃装置は、前記移動手段の移動に伴い同期回転するカム部材と、このカム部材に係合して変位し、送電鉄塔を直接又は間接的に打撃する打撃ピンと、打撃ピンを元位置に復帰させるように常時付勢するばねとを具備することを特徴とする請求項６に記載の鳥害防止装置。
【請求項８】
前記電源が太陽電池モジュールであることを特徴とする請求項１に記載の鳥害防止装置。
【請求項９】
前記移動手段及び威嚇手段を所定時間駆動制御するコントローラを具備することを特徴とする請求項１に記載の鳥害防止装置。
【発明の詳細な説明】
【技術分野】
【０００１】
本発明は、送電鉄塔に飛来する鳥類によって生ずる地絡故障などの鳥害を未然に防止するために、鉄塔から鳥類を忌避する装置に関するものである。
【背景技術】
【０００２】
送電鉄塔に飛来する鳥類は、高圧送電線に接触したり、巣作りのための材料を接触させる、あるいは、糞により設備を汚損させるなどにより、送電故障の原因になる。
従来、このような鳥害を防止するために、送電鉄塔の付近に威嚇のための音や光を発する鳥脅しを固定して鳥類を忌避したり、送電鉄塔の周りに網や索条を張り巡らして鳥類の進入を阻止したり（特許文献１参照）、導体の露出部分に絶縁カバーを設け、あるいは鉄塔構成材や電線に鳥が留まり難い付帯物を設けることなどが行われている。
【特許文献１】特開平７−２７４３６２号公報
【発明の開示】
【発明が解決しようとする課題】
【０００３】
上記従来の方法のうち、鳥脅しにあっては、設置位置に固定されるので、一時的に効果が認められるが、時間経過と共に鳥が仕掛けに慣れて効果が薄れる。網、索条、カバーその他の付帯物を鉄塔に付設するものにあっては、鉄塔上の複数位置に取り付ける必要があり、取付作業の手間や経費が複数分かかるし、取付後に送電設備や器具の保守、点検作業の妨げになりがちで、その都度着脱することが煩わしい難点がある。
そこで、本発明は、鳥類が脅しに慣れ難く、長期的に有効で、かつ確実に鳥害を防止でき、無人で自動的に動作し、鉄塔設備等の保守、点検作業の妨げにならない鳥害防止装置を提供することを課題としている。
【課題を解決するための手段】
【０００４】
上記課題を解決するため、第１の発明においては、送電鉄塔Ｔを上下方向へ移動可能な移動手段により、威嚇手段を移動させながら鳥類を忌避させるようにし、これら移動手段及び威嚇手段を電源により駆動するように鳥害防止装置を構成した。
第２の発明においては、移動手段を送電鉄塔Ｔに上下方向にガイドレール１を設け、このガイドレール１に沿って昇降機２を移動可能に設けた。
第３の発明においては、ガイドレール１を、作業者の安全ベルトが留められる落下防止用エスコートレールで兼用させた。
第４の発明においては、移動手段が鉄塔Ｔの上下位置にプーリを設け、これらプーリ間にワイヤロープを掛け回し、威嚇手段をワイヤロープの途上に設けて引き回すようにした。
第５の発明においては、点滅を繰り返す発光体を威嚇手段とした。
第６の発明においては、打撃により衝撃音と鉄塔Ｔに振動を発生する打撃装置１４を威嚇手段とした。
第７の発明においては、打撃装置１４を、移動手段の移動に伴い同期回転するカム部材１６ａと、このカム部材１６ａに係合して変位し、送電鉄塔Ｔを直接又は間接的に打撃する打撃ピン１６ｂと、打撃ピン１６ｂを元位置に復帰させるように常時付勢するばね１６ｄとで構成した。
第８の発明においては、電源を太陽電池モジュール１９で構成した。
第９の発明においては、移動手段及び威嚇手段を日没時の所定時間駆動制御するコントローラ２０を設けた。
【発明の効果】
【０００５】
本発明は、移動しながら威嚇するので、鳥類が威嚇の仕掛けに慣れ難く、継続して確実に忌避効果を発揮し、鳥害を長期にわたって有効に防止することができるし、鉄塔の一定範囲で上下に移動させるから、網や索条と違い多数設ける必要がなく、安価に提供できるし、取付位置が明確であり、送電設備や器具の保守、点検作業の妨げにならないし、取り付け作業も容易である。特に打撃装置を設ければ、打撃音と共に振動が送電鉄塔全体に伝わってさらに確実に鳥を追い払うことができる。既存の送電鉄塔のエスコートレールを昇降体のガイド部材に兼用でき、装置の構成が簡易化し、さらに経済的である。駆動電源に太陽電池モジュールを用いれば、必要な電源電力を充電操作することなく長期にわたって保持する。鳥類の習性に合わせて作動時間を限定的に使用すれば、部材やエネルギーの消耗を軽減して長期使用が可能になる。
【発明を実施するための最良の形態】
【０００６】
本発明の実施の一形態を図面を参照して説明する。
図１において、本発明に係る鳥害防止装置は、移動手段を構成するガイドレール１と昇降機２とを備えている。ガイドレール１は送電鉄塔Ｔ内に上下方向に敷設された、作業者の落下防止用安全ベルトを移動可能に連結するためのエスコートレールの送電線引き留め高さ位置を含む所定範囲を兼用できる。ガイドレール１は、断面略Ｃ字状の長尺板状材から成り、割１ａを形成する両側縁部に走行面１ｂが形成されて、その上に昇降機２の上下ローラ４，５を転動させて昇降機２がこれに沿って送電鉄塔Ｔを上下方向に移動できるようになっている。
【０００７】
昇降機２は、図２乃至図５に示すように、上下に長い略矩形のベース板３ａの上下にローラ４，５を有する台車３を備えている。両ローラ４，５にはこれらと共にガイドレール１の走行面１ｂを前後に挟む押えローラ６が対向して夫々設けられている。押えローラ６は、台車３に支持された支持杆７を介してガイドレール１側に突き出して設けられた軸受け８に回転自在に支持される。支持杆７は割１ａを貫通してガイドレール１内に及ぶ。支持杆７上には割１ａ内に位置するガイドローラ９が回転自在に支持される。下ローラ５側の支持杆７はばね１０を介して台車３に支持されるので、下ローラ５と押えローラ６とがガイドレール１の走行面１ｂを弾力的に挟み込む。下ローラ５は台車３から側方に張り出して設けられた駆動モータ１１の軸に減速機１２を介して結合した駆動軸１３に固定されている。
【０００８】
台車３上には、威嚇手段の一つである打撃装置１４が設けられている。打撃装置１４は、図３及び図６，図７に示すように、駆動軸１３から動力を伝達する伝動機構１５と、ガイドレール１を打撃する打撃機構１６とを具備する。伝導機構１５は、駆動軸１３上にワンウェイクラッチを介して連結されて一方向に共回りする歯車１５ａと、台車３のベース板３ａのほぼ中間部に回転自在に支持された従動軸１５ｄと、この従動軸１５ｄ上に固定されて共回りする従動歯車１５ｃと、これら歯車１５ａ，１５ｄ間に掛け回されたチェーン１５ｂとから構成される。打撃機構１６は、従動軸１５ｄ上に固定されて共回りするカム１６ａと、このカム１６ａに臨むように近傍に配置された打撃ピン１６ｂと、打撃ピン１６ｂの動きをガイドする円筒状のガイドカバー１６ｃと、ガイドカバー１６ｃの内部に打撃ピン１６ｂを所定位置に保持するためのばね１６ｄとを備えている。打撃ピン１６ｂは横方向に突出した係合部がガイドカバー１６ｃの割内を貫通するので軸線方向に動きがガイドされる。また、打撃ピン１６ｂの一端部にはばね受けが固定されており、このばね受けの前後とガイドカバー１６ｃの端壁及び中間の仕切との間に二つのばね１６ｄ，１６ｄが係止される。従って、カム１６ａは打撃ピン１６ｂに係合した後、ばね１６ｄの一方を圧縮すると共に他方を伸長させながら打撃ピン１６ｂを押し上げ、打撃ピン１６ｂから離れると打撃ピン１６ｂが元位置に復帰する時の慣性で元位置を越えてガイドレール１を叩くことになる。
【０００９】
台車３上には、両側部に威嚇手段の一つである発光体１８を配置した車載ボックス１７を備えている。この車載ボックス１７上には、昇降機２をガイドレール１に装着した状態で上向きに傾斜させて固定されたソーラーパネル１９が搭載されている。ソーラーパネル１９は昼間の太陽エネルギによって充電する太陽電池モジュールである電源手段を構成し、充電電力で昇降機２を昇降駆動すると共に発光体１８を点灯動作させる。発光体１８は、鳥類が群をなして頻繁に飛来する日没時約２時間、１５分ごとに毎分６０回から１００回ストロボ発光する。その動作を制御するコントローラ２０は、車載ボックス１７内に収容されている。台車３の前後上下両端には、ガイドレール１上の上下の移動範囲を規制するためのリミットスイッチ２１が付設されており、停止位置が検知されてコントローラ２０で停止逆走制御される。
【００１０】
この鳥害防止装置においては、送電鉄塔Ｔに沿って上下方向に固定されたエスコートレール兼用のガイドレール１上に昇降機２が取り付けられる。昇降機２は、ガイドレール１の下端から上下のローラ４，５と押えローラ６との間に走行面１ｂを挟むようにガイドレール１内に押えローラ６を配置してガイドレール１の下端から取り付ける。この状態で押えローラ６が上下ローラ４，５との間でばね１０によって走行面１ｂを弾力的に挟持するので、昇降機２は脱落することなく確実にガイドレール１に取り付けられる。そして、日没時の約２時間、１５分ごとに昇降機２がガイドレール１上を上下に往復移動する。昇降機２は、ガイドローラ９がガイドレール１の割１ａ内を移動するので、ガイドレール１に沿って円滑に移動する。
【００１１】
昇降機２は移動するときに、打撃装置１４における打撃機構１６が伝動機構１５を介して動作し、ガイドレール１を打撃することにより打撃音及び鉄塔に伝わる振動で鳥類を効果的に威嚇して送電鉄塔Ｔから追い払う。打撃装置１４は、昇降機２が下方へ移動するときに駆動軸１３上のワンウェイクラッチが結合して歯車１５ａが共回りし、チェーン１５ｂ、従動歯車１５ｃ及び従動軸１５ｄを介してカム１６ａが回転する。カム１６ａが係合する打撃機構１６における打撃ピン１６ｂに当接して、カム１６ａがばね１６ｃを圧縮しつつ押し上げた後、カム１６ａが外れて打撃ピン１６ｂが元位置に復帰する時にガイドレール１を叩く。昇降機２が移動して、威嚇手段が位置を変えるので、鳥が威嚇手段の動作に慣れ難い。
【００１２】
昇降機２上の発光体１４は移動しながら毎分６０回から１００回の点滅頻度で繰り返しストロボ発光する。この発光体１４の動きを伴う点滅によって、送電鉄塔Ｔに飛来する鳥類を効果的に威嚇して送電鉄塔Ｔから追い払う。昇降機２は、動作に必要な駆動電力を昼間ソーラーパネル１５が太陽エネルギによって自動的に充電するので、補給操作が不要である。また、上記動作はコントローラ１６が制御するので、完全に無人化できる。
【００１３】
なお、エスコートレールは延長途上で横方向へ屈曲している場合などには、鳥類が留まりやすい上方部分の必要箇所のみを往復移動させるようにしてもよい。
また、移動手段は、昇降機２をガイドレール１に沿って移動可能に構成したが、鉄塔の所定範囲の上下位置にプーリを設け、これらプーリにワイヤロープを掛け回し、このワイヤロープの途上に威嚇手段を係止して、ワイヤロープを引き回すことにより威嚇手段を上下に往復移動させるように構成してもよい。
【００１４】
さらに、打撃装置１４における打撃ピン１６ｂは駆動軸１３上のワンウェイクラッチによって昇降機２が下方へ移動するときにのみ動作するが、周知の手段によって、上方へ移動するときにワンウェイクラッチを結合させて打撃ピン１６ｂを作動させてもよいし、ワンウェイクラッチを省略して正逆両回転方向において打撃ピン１６ｂを作動させてもよい。
【産業上の利用可能性】
【００１５】
本発明は、送電鉄塔から鳥類を追い払い地絡故障などの鳥害を未然に防止するのに有効である。
【図面の簡単な説明】
【００１６】
【図１】本発明に係る鳥害防止装置の設置状態の正面図である。
【図２】昇降機の正面図である。
【図３】昇降機の側面図である。
【図４】昇降機の上ローラの側面図である。
【図５】昇降機の下ローラの側面図である。
【図６】打撃装置の一部を切り欠いた正面図である。
【図７】打撃装置の平面図である。
【符号の説明】
【００１７】
１    ガイドレール
２    昇降機
３    台車
４    ローラ
５    ローラ
６    押えローラ
１１    駆動モータ
１３    駆動軸
１４    打撃装置
１５    伝動機構
１６    打撃機構
１５ａ  駆動歯車
１５ｂ  チェーン
１５ｃ  従動歯車
１５ｄ  従動軸
１６ａ  カム
１６ｂ  打撃ピン
１６ｄ  ばね
１８    発光体
１９    ソーラーパネル
Ｔ    送電鉄塔
【図１】
2005333846.tif 000003
【図２】
2005333846.tif 000004
【図３】
2005333846.tif 000005
【図４】
2005333846.tif 000006
【図５】
2005333846.tif 000007
【図６】
2005333846.tif 000008
【図７】
2005333846.tif 000009